(57)【特許請求の範囲】
【請求項１】
圧縮機（２１）、配管及び熱交換器（２０）を含む室外側冷媒回路（３）と、
前記冷媒回路（３）を収納し、横断面略矩形状のケース（２）と、
前記ケース（２）の４つの角部に配置され、前記ケース（２）の底部からさらに下方に突出するように設けられた複数の支柱（５ａ〜５ｄ）とを備え、
前記複数の支柱（５ａ〜５ｄ）は、前記各支柱（５ａ〜５ｄ）に対応する前記ケース（２）の角部を挟む２辺に沿うように形成された外面を有しており、
前記複数の支柱（５ａ〜５ｄ）の下端には、それぞれ固定用の基礎脚(１２ａ〜１２ｄ)が前記各支柱（５ａ〜５ｄ）の外面から前記ケース（２）の内側に向かって延びるように設けられており、
前記複数の基礎脚（１２ａ〜１２ｄ）の上方には、前記基礎脚（１２ａ〜１２ｄ）の固定作業を行うための作業スペースが確保されている、
空気調和装置の室外ユニット（１）。
【請求項２】
前記複数の基礎脚（１２ａ〜１２ｄ）は、前記各支柱（５ａ〜５ｄ）の下端部の一部を折り曲げて形成されたものである、
請求項１に記載の空気調和装置の室外ユニット（１）。
【請求項３】
前記ケース（２）の所定の一辺に沿って設けられた２つの支柱（５ａ、５ｄ）（５ｂ、５ｃ）に設けられた基礎脚（１２ａ、１２ｄ）（１２ｂ、１２ｃ）は、互いに対向しかつ互いに近づくように延びて設けられている、
請求項１又は２に記載の空気調和装置の室外ユニット。
【請求項４】
概ね鉛直に延びる複数の縦強度部（５ａ〜５ｄ、１２１ａ〜１２１ｄ）を有し、圧縮機（２１、１１３ａ）、配管及び熱交換器（２０、１１３ｂ）を含む室外側冷媒回路（３、１１３）を収納するケース（２、１１２）と、
前記ケース（２、１１２）を設置場所に固定するために設けられ、前記ケース（２、１１２）の底部よりも下側に位置し、設置場所の据え付け面に接する複数の基礎固定部（１２ａ〜１２ｄ、１２７ａ、１２７ｂ）とを備え、
前記縦強度部（５ａ〜５ｄ、１２１ａ〜１２１ｄ）は、前記基礎固定部（１２ａ〜１２ｄ、１２７ａ、１２７ｂ）の据え付け面の高さ位置まで下方に延びており、
前記複数の基礎固定部（１２ａ〜１２ｄ、１２７ａ、１２７ｂ）を結んで形成される領域は、平面視において、前記複数の縦強度部（５ａ〜５ｄ、１２１ａ〜１２１ｄ）の下端の外側部分を結んで形成される領域の中に含まれている、
空気調和装置の室外ユニット（１、１０１）。
【請求項５】
前記基礎固定部（１２７ａ、１２７ｂ）は、前記ケース（１１２）の底部に固定されている、請求項４に記載の空気調和装置の室外ユニット（１０１）。
【請求項６】
前記基礎固定部（１２７ａ、１２７ｂ）は、前記複数の縦強度部（１２１ａ〜１２１ｄ）のうち、隣り合う縦強度部（１２１ａ、１２１ｄ）（１２１ｂ、１２１ｃ）間を延びるように形成されている、請求項４又は５に記載の空気調和装置の室外ユニット（１０１）。
【発明の詳細な説明】
【０００１】
【発明の属する技術分野】
本発明は、空気調和装置の室外ユニット、特に、固定用の複数の基礎脚を有する空気調和装置の室外ユニットに関する。
【０００２】
【従来の技術】
空気調和装置として、１つの室外ユニットに対して複数の室内ユニットが接続されたいわゆるビル用マルチタイプの空気調和装置がある。このような装置では、室外ユニットは一般にビルの屋上に設置され、この室外ユニットからビルの各室に設けられた室内ユニットに温度制御された空気が供給される。
【０００３】
従来の空気調和装置における室外ユニットは、直方体形状のケースを有しており、このケース内の上方に熱交換器が、下方に圧縮機や他の構成部品が設けられている。そして、ケースの上面にはファン及びこのファンを駆動するためのモータが設けられている。
このような室外ユニットは、前述のように、ビルの屋上等に設置されるが、設置のために、ケース底部に、外側に張り出した複数のフランジ状の基礎脚が設けられている。そして、この基礎脚を、ケミカルアンカー等によってビルのコンクリート部に固定することによって、室外ユニット全体が固定される（例えば、特許文献１参照。）。
【０００４】
【特許文献１】
特開平１０−１３２４０７号公報（第６図）
【０００５】
【発明が解決しようとする課題】
従来の室外ユニットにおいては、前述のように、ケースの底部に外側に張り出すように複数の基礎脚が設けられている。この基礎脚は、ケースの外周からさらに外側に張り出しているので、室外ユニットの搬送時に他の部材に接触しやすく、また落下時に地面等に衝突する場合がある。したがって、従来装置における基礎脚は、通常の固定のために必要な強度以上の強度が要求され、比較的厚い板厚の鋼板が用いられる。このため、コスト低減の妨げとなっている。このような状況は、ビル用マルチタイプの室外ユニットにかかわらず、家庭用の空気調和装置に用いられる室外ユニットについても同様である。
【０００６】
本発明の課題は、室外ユニットの基礎脚を比較的薄い板厚の部材で構成でき、コスト低減を可能にすることにある。
本発明の別の課題は、室外ユニットを据え付ける際の作業性を向上することにある。
【０００７】
【課題を解決するための手段】
請求項１に係る空気調和装置の室外ユニットは、圧縮機、配管及び熱交換器を含む室外側冷媒回路と、冷媒回路を収納する横断面矩形状のケースと、ケースの４つの角部に配置されケースの底部からさらに下方に突出するように設けられた複数の支柱とを備えている。そして、複数の支柱は、各支柱に対応するケースの角部を挟む２辺に沿うように形成された外面を有している。また、複数の支柱の下端には、それぞれ固定用の基礎脚が各支柱の外面からケースの内側に向かって延びるように設けられている。さらに、複数の基礎脚の上方には、基礎脚の固定作業を行うための作業スペースが確保されている。
【０００８】
この室外ユニットは、複数の支柱の下端に設けられた基礎脚を固定側の部材に固定することによって据え付けられる。例えば、ビル用マルチタイプの室外ユニットでは、ビルの屋上のコンクリート部分に、ケミカルアンカー等によって基礎脚が固定され、これによりユニット全体が固定される。
ここで、基礎脚は、たとえば従来同様にフランジ状に形成されているが、支柱の下端部においてケースの内側に向かって延びるように設けられているので、室外ユニットの搬送時や据え付け時等に、相手側の部材と衝突したり、落下したりした場合等において、基礎脚よりはそれより外側に位置する支柱の方が先に相手側部材や地面に接触することになる。すなわち、基礎脚が支柱等によって保護されることとなり、したがって、従来の基礎脚に比較してその板厚を薄くすることができ、コストの低減を図ることができる。
【０００９】
請求項２に係る空気調和装置の室外ユニットは、請求項１に記載の室外ユニットにおいて、複数の基礎脚は、各支柱の下端部の一部を折り曲げて形成されたものである。
この室外ユニットでは、各支柱の下端部の一部を折り曲げて、すなわち支柱と一体で基礎脚が形成されている。このため、別部材を支柱に溶接等して固定する場合に比較して安価に構成できる。
【００１０】
請求項３に係る空気調和装置の室外ユニットは、請求項１又は２の室外ユニットにおいて、ケースの所定の一辺に沿って設けられた２つの支柱に設けられた基礎脚は、互いに対向しかつ互いに近づくように延びて設けられている。
ここで、仮に４つの基礎脚が全て違う方向を向くように設けた場合、４つの基礎脚を固定作業する場合、ケースの各側面のそれぞれに向かって作業する必要がある。しかしこの室外ユニットでは、ケースの一辺に沿って設けられた２本の支柱の基礎脚は、互いに対向して近づくように延びている。したがって、ケースの一側面に向かって位置すれば、４つの基礎脚のうちの２つを固定作業することができ、結局、２個所から４つすべての基礎脚を固定作業することができる。
【００１１】
請求項４に係る空気調和装置の室外ユニットは、概ね鉛直に延びる複数の縦強度部を有し、圧縮機、配管及び熱交換器を含む室外側冷媒回路を収納するケースと、ケースを設置場所に固定するために設けられ、ケースの底部よりも下側に位置し、設置場所の据え付け面に接する複数の基礎固定部とを備えている。縦強度部は、基礎固定部の据え付け面の高さ位置まで下方に延びている。複数の基礎固定部を結んで形成される領域は、平面視において、複数の縦強度部の下端の外側部分を結んで形成される領域の中に含まれている。
【００１２】
この室外ユニットは、ケースの下方に設けられる複数の基礎固定部を設置場所の基礎面等に固定することによって据え付けられる。例えば、ビル用マルチタイプの室外ユニットでは、ビルの屋上等のコンクリート部分にアンカー等によって基礎固定部が固定され、これによりユニット全体が固定される。
ここで、複数の基礎固定部は、複数の基礎固定部を結んで形成される領域が、平面視において、複数の縦強度部の下端の外側部分を結んで形成される領域の中に含まれるように設けられているため、室外ユニットの搬送時や据え付け時等に、基礎面等と衝突したり、落下した場合等において、基礎固定部よりも外側に位置する縦強度部の方が先に基礎面等や地面に接触することになる。すなわち、基礎固定部が縦強度部によって保護されることとなり、従来の基礎固定部に比較して、その板厚を薄くすることができ、コストの低減を図ることができる。
【００１３】
請求項５に係る空気調和装置の室外ユニットは、請求項４に記載の室外ユニットにおいて、基礎固定部は、ケースの底部に固定されている。
この室外ユニットでは、基礎固定部がケースの底部に固定されているため、基礎固定部を設ける位置が種々選択可能である。
【００１４】
請求項６に係る空気調和装置の室外ユニットは、請求項４又は５に記載の室外ユニットにおいて、基礎固定部は、複数の縦強度部のうち、隣り合う縦強度部間を延びるように形成されている。
この室外ユニットでは、基礎固定部が隣り合う縦強度部間を延びるように形成されているため、部品点数を少なくすることができる。
【００１５】
【発明の実施の形態】
［第１実施形態］
図１に本発明の第１実施形態による空気調和装置の室外ユニット１を示す。この室外ユニット１は、ビル用マルチタイプの空調システムに用いられるものであり、一般的にビルの屋上に据え付けられるようになっている。また、図１では、外部配管類は省略して示している。
【００１６】
（１）構成
室外ユニット１は、ほぼ直方体形状のケース２と、ケース２の内部に収納された室外側冷媒回路３とを有している。
ケース２は、前述のように、ほぼ直方体形状であり、横断面が矩形形状に形成されており、４つの角部に配置された４本の支柱５ａ，５ｂ，５ｃ，５ｄと、それぞれ空気の流入が可能な左右の通気部（開口）６，７と、前板８と、後板９と、天板１０と、底板１１とを備えている。
【００１７】
４本の支柱５ａ〜５ｄは四角形のパイプ状部材から構成されており、各支柱５ａ〜５ｄの上端には天板１０が固定されている。また、各支柱５ａ〜５ｄはケース２の底板１１からさらに下方に突出するように延びており、したがって、この室外ユニット１を据え付けた場合には、底板１１の下方にスペースが形成されるようになっている。そして各支柱５ａ〜５ｄの下端には、その一部をケース内側に折り曲げて形成された矩形状の基礎脚１２ａ，１２ｂ，１２ｃ，１２ｄ（基礎脚１２ｄは図１には表れていない）が設けられている。基礎脚１２ａ〜１２ｄのうち、前板８に沿って設けられた２つの支柱５ｂ，５ｃの基礎脚１２ｂ，１２ｃは、互いに対向しかつ互いに近づくように延びて形成されており、また、他の支柱５ａ，５ｄの基礎脚１２ａ，１２ｄも、同様に、互いに対向しかつ互いに近づくように延びて形成されている。なお、各基礎脚１２ａ〜１２ｄには、固定用のケミカルアンカーが挿通する貫通孔が形成されている。
【００１８】
左右の通気部６，７はケース２の外部から内部に向かって空気が流入可能なような開口であり、その外側には横グリル１３，１４が装着されている。
また、前板８は、上方部分に配置された前板上部８ａと、下方部分に配置された前板下部８ｂとから構成されている。前板上部８ａは支柱５ｂ，５ｃの外側に固定されている。また、前板下部８ｂは、２つの支柱５ｂ，５ｃの内側に固定されており、上端部は前板上部８ａに連続しているが、上端部から下方にいくにしたがって、よりケース２の内側（後側）に入り込むように傾斜している。
【００１９】
後板９は、図では明らかでないが、前板８とほぼ同様の構成である。すなわち、後板９は、前板上部８ａと同じ高さ位置に形成された後板上部と、前板下部８ｂと同じ高さ位置に形成された後板下部とから構成され、後板下部は下方にいくにしたがって、よりケース２の内側（前側）に入り込むように傾斜している。なお、後板上部の大部分には、開口が形成されており、外部からの空気が流入可能となっている。
【００２０】
天板１０には、中央部に開口が形成されており、この開口を覆うように筒状のベルマウス１５が設けられている。そして、このベルマウス１５の内部にはファン１６が回転自在に設けられており、このファン１６はその下方に配置されたファンモータ１７により回転駆動されるようになっている。なお、ファンモータ１７は、図示しない支持フレームによりケース２に支持されている。また、ベルマウス１５の上部開口には、ファングリル１８が装着されている。
【００２１】
このような構成のケース２は、前板８の前板上部８ａと、後板９の後板上部と、通気部６，７のうちの前板上部８ａと同じ高さ位置に配置された部分とによって上ケース部２ａが形成されている。また、前板８の前板下部８ｂと、後板９の後板下部と、通気部６，７のうちの前板上部８ｂと同じ高さ位置に配置された部分とによって下ケース部２ｂが形成されている。そして、前述のように、下ケース部２ｂを構成する前板８の前板下部８ｂ及び後板９の後板下部は、上端から下端にかけてケース内側に位置するように傾斜しているので、下ケース部２ｂは、上ケース部２ａとの境界部分を除いて、平面視での投影面積が上ケース部２ａに比較して小さくなっている。
【００２２】
冷媒回路３は主に、ケース２の内部上方に配置された熱交換器２０と、ケース２の底板１１上に固定された圧縮機２１と、これらを結ぶ配管類とを有している。熱交換器２０は、平面視コ字形状に形成されており、ケース２の左右の通気部６，７及び後板９に沿って配置されている。この熱交換器２０は、外部から流入してくる空気と冷媒との間で熱交換を行うものである。そして、この熱交換器２０は、前板上部８ａ及び後板上部と対応する高さ位置に、すなわち上ケース部２ａ内に収納されるように配置されている。一方、圧縮機２１は、前板下部８ｂ及び後板下部と対応する高さ位置、すなわち下ケース部２ｂに収納されるように配置されている。
【００２３】
（２）据え付け
このような室外ユニット１を据え付ける際は、図２に示すように、作業者はＡ側に位置して基礎脚１２ｂ，１２ｃをケミカルアンカー等により固定し、またＢ側に位置して基礎脚１２ａ，１２ｄをケミカルアンカー等により固定する。このように、２つの基礎脚１２ｂ，１２ｃと、他の２つの基礎脚１２ａ，１２ｄとが、互いに対向しかつ近づくように形成されているので、１個所から２つの基礎脚の固定作業を行うことができ、結局、２個所から４つの基礎脚の固定作業を行うことができる。
【００２４】
さらに、ケミカルアンカーを打つ際には、その上方にスペースが必要となるが、下ケース部２ｂの前板８及び後板９（前板下部８ｂ及び後板下部）は下方に行くに従ってケース内側に傾斜しているので、各基礎脚１２ａ〜１２ｄの上方に作業スペースを確保することができ、作業が容易になる。
また、室外ユニット１を搬送する際や据え付けの際に、支柱等が他の部材に衝突したり、あるいは落下させることによって地面に衝突したりする場合がある。従来の装置では、このような事態を想定し、基礎脚の板厚を十分に厚くして衝突時にも変形等が起こらないような強度を確保するようにしていた。しかし、この実施形態では、基礎脚１２ａ〜１２ｄはそれぞれケース内側に延びるように設けられているので、例えば据え付け時等にこのユニットを落下させた場合でも、図３に示すように、まず支柱５ｂが地面に当たり、基礎脚１２ｂが直接当たるのを防止できる。すなわち、基礎脚が支柱によって保護されている。このため、基礎脚としては、固定時においてその強度が確保できれば良く、従来の基礎脚に比較して板厚を薄くでき、コストが安価になる。
【００２５】
（３）運転時の動作
以上のようにして据え付けられた室外ユニット１の動作について、以下に簡単に説明する。
室外ユニット１の運転中は、ファン１６が回転することにより通気部６，７を介して、また後板９の開口を介して、ケース２の外部から空気が内部に流入する。この空気は、熱交換器２０を通過することによって冷媒との間で熱交換され、熱交換された空気は、ベルマウス１５を介してケース２の外部に排気される。
【００２６】
ここで、熱交換効率は熱交換器の熱交換面積に大きく依存するが、この実施形態では、上ケース部２ａ、すなわち熱交換器２０が収納されている部分のスペースは従来装置と比較して同じスペースであり、熱交換器２０の熱交換面積に変化はない。したがって、熱交換効率が損なわれることはない。しかも、もともと熱交換器２０が配置されていない下ケース部２ｂのデッドスペースを削って基礎脚固定用の作業用スペースを確保しているので、熱交換効率を損なうことなく据え付け作業性を良好にすることができる。
【００２７】
［第２実施形態］
以下、本発明の第２実施形態を図面に基づいて説明する。
（１）室外ユニットの構成
図４に本発明の第２実施形態にかかる空気調和装置の室外ユニット１０１を示す。室外ユニット１０１は、マルチタイプの空気調和装置を構成しており、ビルの屋上等に設置されるとともに、複数の室外ユニットに連絡配管を介して接続されている。
【００２８】
室外ユニット１０１は、側面から空気を吸入して熱交換した後に天面から空気を吹き出すタイプであり、ケース１１２と、ケース１１２の内部に収納された室外側冷媒回路１１３と、ケース１１２の上部に設けられた送風ファン１１４とを備えている。
ケース１１２は、略直方体形状であり、主に、４つの角部にそれぞれ配置された支柱１２１ａ〜１２１ｄと、天板１２２と、前板１２３と、後板１２４と、１対の側板１２５と、底板１２６とから構成されている。
【００２９】
支柱１２１ａ〜１２１ｄは、ケース１１２の各角部の上端から下端まで鉛直に延びる柱状の部材であり、天板１２２、前板１２３、後板１２４、１対の側板１２５及び底板１２６を固定・支持している。
天板１２２は、中央に設けられた開口からなる空気吹出口１２２ａを有しており、開口の上部を覆うようにファングリル１２２ｂが設けられている。そして、ケース１１２内に吸入された空気は、空気吹出口１２２ａから上方に向かって吹き出されるようになっている。
【００３０】
前板１２３は、本実施形態において、天板１２２の下側に配置される上部前板１２３ａと、上部前板１２３ａの下側に配置される中部前板１２３ｂと、中部前板１２３ｂの下側に配置される下部前板１２３ｃとから構成されている。このように、前板１２３は、上中下３分割の構造になっている。
後板１２４は、ケース１１２内に空気を吸入するための空気吸入口１２４ａを有している。本実施形態において、空気吸入口１２４ａは、詳細は図示しないが、ほぼ全面に設けられた開口からなる。１対の側板１２５は、ケース１１２内に空気を吸入するための空気吸入口１２５ａを有している。本実施形態において、空気吸入口１２５ａは、前板１２３近傍を除く面に設けられた開口からなる。これらの空気吸入口１２４ａ、１２５ａによって、ケース１１２内に空気が吸入されるようになっている。
【００３１】
底板１２６は、室外側冷媒回路１１３を構成する機器及び配管類を支持・固定している。また、底板１２６は、設置場所の据え付け面との間にスペースができるように、４つの支柱１２１ａ〜１２１ｄに支持されている。
さらに、ケース１１２の下方には、ケース１１２を設置場所に固定するための基礎脚１２７ａ、１２７ｂが設けられている。
【００３２】
以下、これらの基礎脚１２７ａ、１２７ｂについて、図５〜図７を用いて説明する。ここで、図５は、図４のＢ−Ｂ断面図であって、底板１２６、支柱１２１ｃ、１２１ｄ及び基礎脚１２７ａ、１２７ｂの側面視における配置を示す図である。図６は、図４のＣ−Ｃ断面図であって、支柱１２１ａ〜１２１ｄ及び基礎脚１２７ａ、１２７ｂの平面視における配置を示す図である。図７は図４のＤ矢視図である。
【００３３】
本実施形態においては、基礎脚１２７ａ、１２７ｂは、底板１２６の下面の前板１２３側と後板１２４側に固定されたＵ字形状の部材である。具体的には、基礎脚１２７ａ、１２７ｂは、底板１２６の下面に固定された板状の底板固定部１２７ｃと、底板固定部１２７ｃのケース１１２の内側の端部から下方に向かって延びる板状の鉛直部１２７ｄと、鉛直部１２７ｄの下端からケース１１２の外側に向かって延びる板状の据付部１２７ｅとから構成されている。据付部１２７ｅは、設置場所の据え付け面Ｅに接しており、据付部１２７ｅに形成された固定孔においてアンカー等により固定されている。尚、支柱１２１ａ〜１２１ｄは、基礎脚１２７ａ、１２７ｂの据付部１２７ｅの高さ位置まで延びている。
【００３４】
基礎脚１２７ａは、ケース１１２の平面視において、支柱１２１ａと支柱１２１ｄとの間を延びるように形成されている。そして、基礎脚１２７ａの据付部１２７ｅの支柱１２１ａ、１２１ｄ側の端部には、それぞれ固定孔が設けられている。つまり、基礎脚１２７ａは、従来の室外ユニットにおいて、固定孔のそれぞれに対応して設けられていた基礎脚が一体に形成されていることになる。同様に、基礎脚１２７ｂは、ケース１１２の平面視において、支柱１２１ｂと支柱１２１ｃとの間を延びるように形成されており、基礎脚１２７ｂの据付部１２７ｅの支柱１２１ｂ、１２１ｃ側の端部には、それぞれ固定孔が設けられている。
【００３５】
また、図６に示すように、基礎脚１２７ａ、１２７ｂの平面視における外周縁を結んで形成される略長方形状の領域Ｓは、平面視において、支柱１２１ａ〜１２１ｄの外側部分（具体的には、点Ｆ、Ｇ、Ｈ、Ｉ）を順に結んで形成される長方形状の領域Ｔの中に含まれている。つまり、基礎脚１２７ａ、１２７ｂは、平面視において、支柱１２１ａ〜１２１ｄを含めたケース１１２から外側にはみ出すことがないように設けられている。
【００３６】
さらに、ケース１１２には、図７に示すように、平面視における基礎脚１２７ａ、１２７ｂの据付部１２７ｅの固定孔に対応する位置に、ケース１１２の内側に向かって凹んだ凹部１２８が天板１２２、前板１２３及び底板１２６にわたって形成されている。
室外側冷媒回路１１３は、圧縮機１１３ａ、熱交換器１１３ｂ等及びこれらの機器を接続する配管類から構成されている。圧縮機１１３ａや熱交換器１１３ｂ等の主要な機器は、底板１２６に固定されている。すなわち、室外側冷媒回路１１３を構成する機器及び配管類は、主として、ケース１１２の下部に配置されている。熱交換器１１３ｂは、略Ｕ字形状であり、３つの空気吸入口１２４ａ、１２５ａに対向するように配置されている。熱交換器１１３ｂは、空気吸入口１２４ａ、１２５ａから吸入された空気と冷媒とを熱交換させることが可能である。
【００３７】
送風ファン１１４は、プロペラファンであり、ケース１１２の上部において、空気吹出口１２２ａに対応するように配置されている。送風ファン１１４は、羽根車１１４ａと、羽根車１１４ａを回転駆動するファンモータ１４ｂとを有している。ファンモータ１４ｂは、図示しない支持フレームを介して、ケース１１２に固定されている。より具体的には、送風ファン１１４は、上部前板１２３ａの上下方向位置に対応する位置に配置されている。これにより、送風ファン１１４は、空気吸入口１２４ａ、１２５ａを通じて、室外空気をケース１１２の側面からケース１１２の内部に吸入して、熱交換器１１３ｂを通過させた後、ケース１１２の上部に導いて空気吹出口１２２ａから吹き出すことが可能である。
【００３８】
（２）据え付け
このような室外ユニット１０１を据え付ける際は、図６に示すように、作業者はＪ側に位置して基礎脚１２７ａをアンカー等により固定し、またＫ側に位置して基礎脚１２７ｂをアンカー等により固定する。このように、アンカーを打つ際には、その上方にスペースが必要となるが、ケース１１２の基礎脚１２７ａ、１２７ｂの固定孔に対応する位置には、それぞれ、凹部１２８が形成されているため、基礎脚１２７ａ、１２７ｂの上方に作業スペースを確保することができ、作業が容易になっている。
【００３９】
また、室外ユニット１０１を搬送する際や据え付けの際に、支柱等が他の部材に衝突したり、あるいは落下させることによって地面に衝突したりする場合がある。従来の室外ユニットでは、このような事態を想定し、基礎脚の板厚を十分に厚くして衝突時にも変形等が起こらないような強度を確保するようにしていた。しかし、本実施形態では、基礎脚１２７ａ、１２７ｂを結ぶことによって形成される領域Ｓは、支柱１２１ａ〜１２１ｄの外側部分を結ぶことによって形成される領域Ｔに含まれるように配置されているため、例えば、据え付け時等に、室外ユニット１０１を落下させた場合でも、まず支柱１２１ａ〜１２１ｄが地面に当たり、基礎脚１２７ａ、１２７ｂが直接衝突するのを防止できる。すなわち、基礎脚１２７ａ、１２７ｂが支柱１２１ａから１２１ｄによって保護されている。このため、基礎脚１２７ａ、１２７ｂとしては、基本的に、固定時においてその強度が確保できれば良く、従来の基礎脚に比較して板厚を薄くでき、コストが安価になる。
【００４０】
［他の実施形態］
（ａ）基礎脚の形状及び突出する方向は前記実施形態に限定されない。例えば、各基礎脚をそれぞれ別の方向に突出させて形成しても良い。さらに、第１実施形態では、各基礎脚を支柱と一体で形成したが、別の部材を支柱に溶接等により固定して設けるようにしても良い。
【００４１】
（ｂ）第１実施形態では、下ケース部２ｂにおいて、前板下部８ｂ及び後板下部を下方側がケース内側により傾斜するような傾斜面としたが、下ケース部の形状はこのような形状に限定されない。内部に収納されている部品等の配置に影響を与えず、かつ基礎脚の固定作業用のスペースが確保できるような形状であればよい。
【００４２】
（ｃ）第２実施形態では、基礎脚が２つの支柱間に一体の部材として設けられていたが、各４つの支柱ごとに設けられていてもよい。
（ｄ）室外ユニットの例として、ビル用マルチタイプの室外ユニットを挙げたが、家庭用の空気調和装置にも用いられる室外ユニットにも本発明を同様に適用することができる。
【００４３】
【発明の効果】
請求項１に係る空気調和装置の室外ユニットは、固定用の基礎脚が、支柱の下端部においてケースの内側に向かって延びているので、室外ユニットの搬送時や据え付け時等に、基礎脚が、他の部材等と衝突するのを抑えることができ、したがって、基礎脚の板厚を比較的薄くすることができ、コストの低減を図ることができる。
【００４４】
請求項２に係る空気調和装置の室外ユニットは、基礎脚が支柱の下端部の一部を折り曲げて形成されているので、別部材を支柱に溶接等して固定する場合に比較して安価に構成できる。
請求項３に係る空気調和装置の室外ユニットは、ケースの一辺に沿って設けられた２本の支柱の基礎脚が、互いに対向して近づくように延びているので、基礎脚の固定作業が容易になる。
【００４５】
請求項４に係る空気調和装置の室外ユニットは、複数の基礎固定部を結んで形成される領域が、平面視において、複数の縦強度部の下端の外側部分を結んで形成される領域の中に含まれるように、複数の基礎固定部が設けられているため、室外ユニットの搬送時や据え付け時等に、基礎面等と衝突したり、落下した場合等において、基礎固定部よりも外側に位置する縦強度部の方が先に基礎面等や地面に接触して、基礎固定部が縦強度部によって保護されることとなるため、基礎固定部の板厚を薄くすることができ、コストの低減を図ることができる。
【００４６】
請求項５に係る空気調和装置の室外ユニットは、基礎固定部がケースの底部に固定されているため、基礎固定部を設ける位置が種々選択可能である。
請求項６に係る空気調和装置の室外ユニットは、基礎固定部が隣り合う縦強度部間を延びるように形成されているため、部品点数を少なくすることができる。
【図面の簡単な説明】
【図１】  本発明の第１実施形態による室外ユニットの外観斜視図。
【図２】  第１実施形態の室外ユニットの各基礎脚の位置関係を示す概略平面図。
【図３】  第１実施形態の室外ユニット落下時の様子を示す外観部分図。
【図４】  本発明の第２実施形態による室外ユニットの外観斜視図。
【図５】  図４のＢ−Ｂ断面図であって、底板、支柱及び基礎脚の側面視における配置を示す図。
【図６】  図４のＣ−Ｃ断面図であって、支柱及び基礎脚の平面視における配置を示す図。
【図７】  図４のＤ矢視図。
【符号の説明】
１、１０１  室外ユニット
２、１１２  ケース
３、１１３  冷媒回路（室外側冷媒回路）
５ａ〜５ｄ、１２１ａ〜１２１ｄ  支柱（縦強度部）
１２ａ〜１２ｄ、１２７ａ、１２７ｂ  基礎脚（基礎固定部）
２０、１１３ｂ  熱交換器
２１、１１３ａ  圧縮機
【図１】
0003722109.tif 000002
【図２】
0003722109.tif 000003
【図３】
0003722109.tif 000004
【図４】
0003722109.tif 000005
【図５】
0003722109.tif 000006
【図６】
0003722109.tif 000007
【図７】
0003722109.tif 000008